(57)【要約】【課題】複数の単相インバータユニット１（１Ａ〜１Ｆ）の交流出力側を直並列に接続する際に、出力側導体の低インピーダンス化と漏れ磁束の低減を図る。【解決手段】３個の単相インバータユニット１Ａ〜１Ｃが上段に並べられ、３個の単相インバータユニット１Ｄ〜１Ｆが下段に並べられる。上段の３個の単相インバータユニット１Ａ〜１Ｃのｖ出力端子２２が下段の３個の単相インバータユニット１Ｄ〜１Ｆのｕ出力端子２１に幅広の第１導体３１によって直列に接続される。３個の単相インバータユニット１Ａ〜１Ｃのｕ出力端子２１は第２導体３２によって並列接続され、３個の単相インバータユニット１Ｄ〜１Ｆのｖ出力端子２２は第３導体３３によって並列接続される。これらの広く重なった導体３１〜３３は、逆方向に高周波電流が流れるので、インダクタンスが低減し、漏れ磁束が抑制される。【選択図】図１
2018133864.tif 000002
【特許請求の範囲】
【請求項１】
並列接続されるｎ個の第１の単相インバータユニットと、並列接続されるｎ個の第２の単相インバータユニットと、を含み、これらが「２行×ｎ列」のマトリクス状に配置されているともに、各単相インバータユニットは、マトリクスの列方向に並んで位置するｕ出力端子とｖ出力端子とを備える複数の単相インバータユニットと、
マトリクスの列方向に互いに隣り合う第１の単相インバータユニットのｕ出力端子もしくはｖ出力端子と第２の単相インバータユニットのｖ出力端子もしくはｕ出力端子とを直列に接続するように、マトリクスの列方向に沿って両出力端子に亘る長さを有し、かつマトリクスの行方向に並んだｎ個の各出力端子を互いに接続するように、マトリクスの行方向に沿ってｎ個の出力端子に亘る幅を有する板状の第１導体と、
ｎ個の第１の単相インバータユニットの他方の出力端子を互いに接続するように、マトリクスの行方向に沿って第１導体と等しい幅を有し、かつ絶縁板を介して第１導体の上に重ねられるとともに、マトリクスの列方向の中間部まで延び、先端部が装置出力端子の一方を構成する板状の第２導体と、
ｎ個の第２の単相インバータユニットの他方の出力端子を互いに接続するように、マトリクスの行方向に沿って第１導体と等しい幅を有し、かつ絶縁板を介して第１導体の上に重ねられるとともに、マトリクスの列方向の中間部まで延び、先端部が装置出力端子の他方を構成する板状の第３導体と、
を備えてなる単相インバータの出力側接続構造。
【請求項２】
ｎ個の第１の単相インバータユニットは、架台の上段に並んで配置され、ｎ個の第２の単相インバータユニットは、架台の下段に並んで配置され、
各単相インバータユニットは、前面にｕ出力端子およびｖ出力端子を備えるとともに、ｕ出力端子がｖ出力端子に対し相対的に上方に位置しており、
第１導体は、上段に位置する第１の単相インバータユニットのｎ個のｖ出力端子と下段に位置する第２の単相インバータユニットのｎ個のｕ出力端子とに接続されている、
請求項１に記載の単相インバータの出力側接続構造。
【請求項３】
第１導体は、矩形の板状をなす中央の平面部と、この平面部の両端からそれぞれ断面Ｌ字状をなすように折れ曲がって第１の単相インバータユニットおよび第２の単相インバータユニットのそれぞれｎ個の出力端子に接続される折曲部と、を有し、
第２導体は、上記第１導体の平面部のほぼ半分の大きさを有する矩形の板状をなす平面部と、この平面部の一端から断面Ｌ字状をなすように折れ曲がって第１の単相インバータユニットのｎ個の出力端子に接続される折曲部と、を有し、
第３導体は、上記第１導体の平面部のほぼ半分の大きさを有する矩形の板状をなす平面部と、この平面部の一端から断面Ｌ字状をなすように折れ曲がって第２の単相インバータユニットのｎ個の出力端子に接続される折曲部と、を有する、
請求項１または２に記載の単相インバータの出力側接続構造。
【請求項４】
ｕ出力端子とｖ出力端子をそれぞれ反対側の面に備えた第１の単相インバータユニットと、同じくｕ出力端子とｖ出力端子をそれぞれ反対側の面に備えた第２の単相インバータユニットと、を含み、各々のｕ出力端子同士およびｖ出力端子同士がそれぞれ同一平面上に位置するように並んで配置された１組の単相インバータユニットと、
第１の単相インバータユニットのｕ出力端子と第２の単相インバータユニットのｕ出力端子とを互いに接続するように両者に亘って延びた板状のｕ相第１導体と、
第１の単相インバータユニットと第２の単相インバータユニットとの間の間隙を通る平面部を有するとともに、この平面部から第１の単相インバータユニット側へ折れ曲がった折曲部を有し、この折曲部がｕ相第１導体と重なって第１の単相インバータユニットのｕ出力端子に固定され、かつ平面部の一端がｕ相第２出力端子となる板状のｕ相第２導体と、
上記ｕ相第２導体の上記平面部に重なって第１の単相インバータユニットと第２の単相インバータユニットとの間の間隙を通る平面部を有するとともに、この平面部から第２の単相インバータユニット側へ折れ曲がった折曲部を有し、この折曲部がｕ相第１導体と重なって第２の単相インバータユニットのｕ出力端子に固定され、かつ平面部の一端が上記ｕ相第２導体の一端とともにｕ相第２出力端子となる板状のｕ相第３導体と、
第１の単相インバータユニットのｖ出力端子と第２の単相インバータユニットのｖ出力端子とを互いに接続するように両者に亘って延びた板状のｖ相第１導体と、
上記ｕ相第２導体およびｕ相第３導体の平面部に重なって第１の単相インバータユニットと第２の単相インバータユニットとの間の間隙を通る平面部を有するとともに、この平面部から第１の単相インバータユニット側へ折れ曲がった折曲部を有し、この折曲部がｖ相第１導体と重なって第１の単相インバータユニットのｖ出力端子に固定され、かつ平面部の一端がｖ相第２出力端子となる板状のｖ相第２導体と、
上記ｕ相第２導体、ｕ相第３導体およびｖ相第２導体の上記平面部に重なって第１の単相インバータユニットと第２の単相インバータユニットとの間の間隙を通る平面部を有するとともに、この平面部から第２の単相インバータユニット側へ折れ曲がった折曲部を有し、この折曲部がｖ相第１導体と重ねて第２の単相インバータユニットのｖ出力端子に固定され、かつ平面部の一端が上記ｖ相第２導体の一端とともにｖ相第２出力端子となる板状のｕ相第３導体と、
上記ｕ相第２導体およびｕ相第３導体の平面部と上記ｖ相第２導体およびｖ相第３導体の平面部との間に介在する絶縁板と、
を備えてなる単相インバータの出力側接続構造。
【請求項５】
第１の単相インバータユニットと第２の単相インバータユニットとの組を２組備え、第１の組の２つの単相インバータユニットと第２の組の２つの単相インバータユニットとが並列に配置されており、
さらに、
第１の組のｕ相第２出力端子と第２の組のｕ相第２出力端子とを互いに接続するとともに中央部にｕ相第３出力端子を備えた板状のｕ相第４導体と、
第１の組のｖ相第２出力端子と第２の組のｖ相第２出力端子とを互いに接続するとともに中央部にｖ相第３出力端子を備えた板状のｖ相第４導体と、
を備え、
ｕ相第４導体とｖ相第４導体とが絶縁板を介して重なっている、
請求項４に記載の単相インバータの出力側接続構造。
【請求項６】
上記単相インバータユニットは、中央のヒートシンクを挟んで該ヒートシンクの両面にそれぞれ配置された一対のスイッチング素子モジュールからなり、
各々のスイッチング素子モジュールがそれぞれ２つのスイッチング回路を含むとともに、一方のスイッチング素子モジュールがｕ出力端子を備え、他方のスイッチング素子モジュールがｖ出力端子を備える、
請求項４または５に記載の単相インバータの出力側接続構造。
【発明の詳細な説明】
【技術分野】
【０００１】
この発明は、高周波電源装置において複数の単相インバータユニットの交流出力側を並列もしくは直並列に接続して回路構成する場合の導体を用いた出力側接続構造に関する。
【背景技術】
【０００２】
高周波電源装置においては、複数の単相インバータユニットの交流出力側を並列もしくは直並列に接続して回路構成する場合がある。特許文献１には、それぞれが２つのスイッチング回路を含む一対のＩＧＢＴモジュールの交流出力を、板状の導体によって並列に接続した構成が開示されている。２つのＩＧＢＴモジュールの出力端子を互いに並列に接続する板状の導体は、出力配線を兼ねており、入力側の２つの板状導体の上に絶縁板を挟んで積層されている。
【先行技術文献】
【特許文献】
【０００３】
【特許文献１】特開２０１２−１０５３８２号公報
【発明の概要】
【発明が解決しようとする課題】
【０００４】
複数の単相インバータユニットの交流出力側を例えば並列に接続する場合、接続される単相インバータユニットの個数に応じて導体の長さが長くなり、回路のインダクタンスが大きく、ひいてはインピーダンスが高くなり易い。また、交流出力側の導体には高周波の交流電流が流れるため、外部への漏れ磁束が大きく、周囲部品の誘導加熱による発熱等の問題が生じる。
【０００５】
この発明の目的は、複数の単相インバータユニットを接続する交流出力側の導体の低インピーダンス化と、外部への漏れ磁束の低減と、を図ることにある。
【０００６】
なお、特許文献１では、交流出力端子となる導体が入力側の２つの板状導体に重ねられているが、これによる低インピーダンス化や漏れ磁束の低減といった作用は得られない。
【課題を解決するための手段】
【０００７】
この発明は、複数の単相インバータユニットのｕ出力端子およびｖ出力端子を板状の導体によって並列もしくは直並列に接続するに際して、高周波電流が互いに逆方向に流れるように２つの板状導体を広く重ね合わせて構成する。これにより、２つの導体間で自己インダクタンスを打ち消し合う作用が大きく得られ、低インピーダンス化が図れる。また、２つの導体を常に逆方向に電流が流れるので、漏れ磁束が低減する。
【０００８】
具体的な第１の発明に係る単相インバータの出力側接続構造は、
並列接続されるｎ個の第１の単相インバータユニットと、並列接続されるｎ個の第２の単相インバータユニットと、を含み、これらが「２行×ｎ列」のマトリクス状に配置されているともに、各単相インバータユニットは、マトリクスの列方向に並んで位置するｕ出力端子とｖ出力端子とを備える複数の単相インバータユニットと、
マトリクスの列方向に互いに隣り合う第１の単相インバータユニットのｕ出力端子もしくはｖ出力端子と第２の単相インバータユニットのｖ出力端子もしくはｕ出力端子とを直列に接続するように、マトリクスの列方向に沿って両出力端子に亘る長さを有し、かつマトリクスの行方向に並んだｎ個の各出力端子を互いに接続するように、マトリクスの行方向に沿ってｎ個の出力端子に亘る幅を有する板状の第１導体と、
ｎ個の第１の単相インバータユニットの他方の出力端子を互いに接続するように、マトリクスの行方向に沿って第１導体と等しい幅を有し、かつ絶縁板を介して第１導体の上に重ねられるとともに、マトリクスの列方向の中間部まで延び、先端部が装置出力端子の一方を構成する板状の第２導体と、
ｎ個の第２の単相インバータユニットの他方の出力端子を互いに接続するように、マトリクスの行方向に沿って第１導体と等しい幅を有し、かつ絶縁板を介して第１導体の上に重ねられるとともに、マトリクスの列方向の中間部まで延び、先端部が装置出力端子の他方を構成する板状の第３導体と、
を備えて構成される。なお、ｎは２以上の任意の自然数である。
【０００９】
この構成では、ｎ個の第１の単相インバータユニットおよび第２の単相インバータユニットがそれぞれ互いに並列に接続された上で、両者が直列に接続された回路構成となる。例えば、第１の単相インバータユニットのｕ出力端子と第２の単相インバータユニットのｖ出力端子とを第１導体が直列に接続する。この第１導体は、同時に、ｎ個の第１の単相インバータユニットのｕ出力端子同士を並列に接続し、ｎ個の第２の単相インバータユニットのｖ出力端子を並列に接続する。第２導体は、ｎ個の第１の単相インバータユニットのｖ出力端子同士を並列に接続した上で、端部がｖ相の装置出力端子となる。第３導体は、ｎ個の第２の単相インバータユニットのｕ出力端子同士を並列に接続した上で、端部がｕ相の装置出力端子となる。
【００１０】
従って、絶縁板を介して互いに重なり合っている第１導体と第２導体とでは、互いに逆方向に高周波電流が流れることとなり、同様に、第１導体と第３導体とでは、互いに逆方向に高周波電流が流れる。これにより、インダクタンスが低減し、漏れ磁束が抑制される。
【００１１】
好ましい一つの態様では、ｎ個の第１の単相インバータユニットは、架台の上段に並んで配置され、ｎ個の第２の単相インバータユニットは、架台の下段に並んで配置され、
各単相インバータユニットは、前面にｕ出力端子およびｖ出力端子を備えるとともに、ｕ出力端子がｖ出力端子に対し相対的に上方に位置しており、
第１導体は、上段に位置する第１の単相インバータユニットのｎ個のｖ出力端子と下段に位置する第２の単相インバータユニットのｎ個のｕ出力端子とに接続されている。
【００１２】
このように上下２段に単相インバータユニットを配置することで、省スペースとなる。
【００１３】
より具体的な一つの態様では、
第１導体は、矩形の板状をなす中央の平面部と、この平面部の両端からそれぞれ断面Ｌ字状をなすように折れ曲がって第１の単相インバータユニットおよび第２の単相インバータユニットのそれぞれｎ個の出力端子に接続される折曲部と、を有し、
第２導体は、上記第１導体の平面部のほぼ半分の大きさを有する矩形の板状をなす平面部と、この平面部の一端から断面Ｌ字状をなすように折れ曲がって第１の単相インバータユニットのｎ個の出力端子に接続される折曲部と、を有し、
第３導体は、上記第１導体の平面部のほぼ半分の大きさを有する矩形の板状をなす平面部と、この平面部の一端から断面Ｌ字状をなすように折れ曲がって第２の単相インバータユニットのｎ個の出力端子に接続される折曲部と、を有する。
【００１４】
第２の発明に係る単相インバータの出力側接続構造は、
ｕ出力端子とｖ出力端子をそれぞれ反対側の面に備えた第１の単相インバータユニットと、同じくｕ出力端子とｖ出力端子をそれぞれ反対側の面に備えた第２の単相インバータユニットと、を含み、各々のｕ出力端子同士およびｖ出力端子同士がそれぞれ同一平面上に位置するように並んで配置された１組の単相インバータユニットと、
第１の単相インバータユニットのｕ出力端子と第２の単相インバータユニットのｕ出力端子とを互いに接続するように両者に亘って延びた板状のｕ相第１導体と、
第１の単相インバータユニットと第２の単相インバータユニットとの間の間隙を通る平面部を有するとともに、この平面部から第１の単相インバータユニット側へ折れ曲がった折曲部を有し、この折曲部がｕ相第１導体と重なって第１の単相インバータユニットのｕ出力端子に固定され、かつ平面部の一端がｕ相第２出力端子となる板状のｕ相第２導体と、
上記ｕ相第２導体の上記平面部に重なって第１の単相インバータユニットと第２の単相インバータユニットとの間の間隙を通る平面部を有するとともに、この平面部から第２の単相インバータユニット側へ折れ曲がった折曲部を有し、この折曲部がｕ相第１導体と重なって第２の単相インバータユニットのｕ出力端子に固定され、かつ平面部の一端が上記ｕ相第２導体の一端とともにｕ相第２出力端子となる板状のｕ相第３導体と、
第１の単相インバータユニットのｖ出力端子と第２の単相インバータユニットのｖ出力端子とを互いに接続するように両者に亘って延びた板状のｖ相第１導体と、
上記ｕ相第２導体およびｕ相第３導体の平面部に重なって第１の単相インバータユニットと第２の単相インバータユニットとの間の間隙を通る平面部を有するとともに、この平面部から第１の単相インバータユニット側へ折れ曲がった折曲部を有し、この折曲部がｖ相第１導体と重なって第１の単相インバータユニットのｖ出力端子に固定され、かつ平面部の一端がｖ相第２出力端子となる板状のｖ相第２導体と、
上記ｕ相第２導体、ｕ相第３導体およびｖ相第２導体の上記平面部に重なって第１の単相インバータユニットと第２の単相インバータユニットとの間の間隙を通る平面部を有するとともに、この平面部から第２の単相インバータユニット側へ折れ曲がった折曲部を有し、この折曲部がｖ相第１導体と重ねて第２の単相インバータユニットのｖ出力端子に固定され、かつ平面部の一端が上記ｖ相第２導体の一端とともにｖ相第２出力端子となる板状のｕ相第３導体と、
上記ｕ相第２導体およびｕ相第３導体の平面部と上記ｖ相第２導体およびｖ相第３導体の平面部との間に介在する絶縁板と、
を備えて構成されている。
【００１５】
この構成では、２個で１組となる単相インバータユニットのｕ出力端子同士がｕ相第１導体を介して並列に接続され、ｖ出力端子同士がｖ相第１導体を介して並列に接続される。そして、並列接続されたｕ出力は、ｕ相第２導体およびｕ相第３導体を介して２つの単相インバータユニットの間を通して引き出され、同様に並列接続されたｖ出力は、ｖ相第２導体およびｖ相第３導体を介して２つの単相インバータユニットの間を通して引き出される。これらのｕ相第２導体、ｕ相第３導体、ｖ相第２導体およびｖ相第３導体のそれぞれの平面部は、互いに重ね合わされている。従って、ｕ相第２，第３導体とｖ相第２，第３導体とで高周波電流が逆方向に流れることにより、インダクタンスが低減し、漏れ磁束が抑制される。
【００１６】
また、第２の発明の一つの態様では、
第１の単相インバータユニットと第２の単相インバータユニットとの組を２組備え、第１の組の２つの単相インバータユニットと第２の組の２つの単相インバータユニットとが並列に配置されており、
さらに、
第１の組のｕ相第２出力端子と第２の組のｕ相第２出力端子とを互いに接続するとともに中央部にｕ相第３出力端子を備えた板状のｕ相第４導体と、
第１の組のｖ相第２出力端子と第２の組のｖ相第２出力端子とを互いに接続するとともに中央部にｖ相第３出力端子を備えた板状のｖ相第４導体と、
を備え、
ｕ相第４導体とｖ相第４導体とが絶縁板を介して重なっている。
【００１７】
この構成では、合計４個の単相インバータユニットのｕ出力端子同士が並列に接続され、同様にｖ出力端子同士が並列に接続されることとなる。そして、最終的なｕ相の出力端子となるｕ相第４導体と最終的なｖ相の出力端子となるｖ相第４導体とが重なり合っているため、この部分においても、高周波電流が逆方向に流れることで、インダクタンスの低減ならびに漏れ磁束の低減が図れる。
【００１８】
具体的な一つの態様では、上記単相インバータユニットは、中央のヒートシンクを挟んで該ヒートシンクの両面にそれぞれ配置された一対のスイッチング素子モジュールからなり、
各々のスイッチング素子モジュールがそれぞれ２つのスイッチング回路を含むとともに、一方のスイッチング素子モジュールがｕ出力端子を備え、他方のスイッチング素子モジュールがｖ出力端子を備える。
【発明の効果】
【００１９】
この発明によれば、単相インバータの交流出力側の２つの板状導体が、それぞれ逆方向に高周波電流が流れるように組み合わされるとともに広く接するように重ね合わされているので、自己インダクタンスを打ち消し合う作用が大きく得られ、低インピーダンス化が図れる。また、漏れ磁束が低減し、周囲部品の誘導加熱による発熱等が抑制される。
【図面の簡単な説明】
【００２０】
【図１】第１の発明に係る出力側接続構造を備えた第１実施例のインバータ装置全体の正面図。
【図２】同じく第１実施例のインバータ装置全体の側面図。
【図３】第１〜第３導体の分解斜視図。
【図４】第１実施例のインバータ装置の回路構成を示す回路図。
【図５】一つの単相インバータユニットの回路構成を示す回路図。
【図６】第２の発明に係る出力側接続構造を備えた第２実施例のインバータ装置全体の斜視図。
【図７】１組の単相インバータユニットの構成を示す正面図。
【図８】同じく１組の単相インバータユニットの構成を示す側面図。
【図９】１組の単相インバータユニットおよび各導体の分解斜視図。
【図１０】第２実施例のインバータ装置の回路構成を示す回路図。
【発明を実施するための形態】
【００２１】
初めに、第１の発明の一実施例を図面に基づいて説明する。
【００２２】
図１および図２は、第１の発明の出力側接続構造を備えた第１実施例のインバータ装置全体を示す正面図および側面図である。この第１実施例のインバータ装置は、計６個の単相インバータユニット１（１Ａ〜１Ｆ）を備えており、上下２段の支持台２Ｕ，２Ｌを有する架台２の中で、上段の支持台２Ｕに３個の単相インバータユニット１Ａ〜１Ｃが並べて配置され、下段の支持台２Ｌに残りの３個の単相インバータユニット１Ｄ〜１Ｆが並べて配置されている。単相インバータユニット１Ａと単相インバータユニット１Ｄは上下に整列して位置し、単相インバータユニット１Ｂと単相インバータユニット１Ｅは上下に整列して位置し、単相インバータユニット１Ｃと単相インバータユニット１Ｆは上下に整列して位置している。つまり、図１のように正面から見たときに、「２行×３列」のマトリクス状に配置されている。なお、この例では、図１の左右方向がマトリクスの「行方向」、上下方向がマトリクスの「列方向」に相当する。
【００２３】
図４は、第１実施例のインバータ装置の回路構成を示している。３個の単相インバータユニット１Ａ〜１Ｃは、請求項１の「第１の単相インバータユニット」に相当するもので、各々の入力端子Ｐ，Ｎが直流電源Ｐ１，Ｎ１に並列に接続されている。これら３個の単相インバータユニット１Ａ〜１Ｃのｕ出力端子は、互いに並列に接続された上で、装置全体のｕ相出力（Ｕ）として、外部の整合トランス３の入力側に接続されている。また３個の単相インバータユニット１Ａ〜１Ｃのｖ出力端子は、互いに並列に接続されている。これら３個の単相インバータユニット１Ａ〜１Ｃは、制御回路４ＡによってＰＷＭ制御される。
【００２４】
残りの３個の単相インバータユニット１Ｄ〜１Ｆは、請求項１の「第２の単相インバータユニット」に相当するもので、各々の入力端子Ｐ，Ｎが直流電源Ｐ２，Ｎ２に並列に接続されている。これら３個の単相インバータユニット１Ｄ〜１Ｆのｕ出力端子は、互いに並列に接続されている。また３個の単相インバータユニット１Ｄ〜１Ｆのｖ出力端子は、互いに並列に接続された上で、装置全体のｖ相出力（Ｖ）として、整合トランス３の入力側に接続されている。これら３個の単相インバータユニット１Ｄ〜１Ｆは、制御回路４ＢによってＰＷＭ制御される。
【００２５】
そして、前者の並列接続された３個の単相インバータユニット１Ａ〜１Ｃのｖ出力端子が、同じく並列接続された３個の単相インバータユニット１Ｄ〜１Ｆのｕ出力端子に接続されている。従って、６個の単相インバータユニット１Ｄ〜１Ｆは、３並列２直列の回路構成となっている。
【００２６】
個々の単相インバータユニット１（１Ａ〜１Ｆ）は、特に限定されるものではないが、例えば、図５に示すように、２つのＩＧＢＴモジュール１１，１２と平滑コンデンサ１３とを備えて構成されている。ＩＧＢＴモジュール１１は、上アームおよび下アームとなる２つのスイッチング回路Ｓ１，Ｓ２を含み、その中間接続点からｕ出力端子が引き出されている。同様に、ＩＧＢＴモジュール１２は、２つのスイッチング回路Ｓ３，Ｓ４を含み、その中間接続点からｖ出力端子が引き出されている。
【００２７】
図１および図２に示すように、各々の単相インバータユニット１（１Ｄ〜１Ｆ）は、直方体形状の筐体を有し、その前面の中央部にｕ出力端子２１とｖ出力端子２２とが上下に隣接して設けられている。具体的には、ｕ出力端子２１が上方に位置し、ｖ出力端子２２が下方に位置している。これらの出力端子２１，２２は、Ｌ字形に折れ曲がった板状導体からなり、ｕ出力端子２１は上方へ向かって折曲し、ｖ出力端子２２は下方へ向かって折曲している。筐体の背面の中央部には、図２に示すように、Ｐ入力端子２３とＮ入力端子２４がやはり上下に隣接して設けられている。これらＰ入力端子２３およびＮ入力端子２４は、同様にＬ字形に折れ曲がった形状をなし、直流電源（Ｐ１，Ｎ１もしくはＰ２，Ｎ２）からの配線となる入力側導体２５，２６，２７，２８に接続される。
【００２８】
架台２の上段２Ｕに配置された３個の単相インバータユニット１Ａ〜１Ｃのｖ出力端子２２と下段２Ｌに配置された３個の単相インバータユニット１Ｄ〜１Ｆのｕ出力端子２１は、幅広の板状導体からなる第１導体３１によって互いに接続されている。また、上段２Ｕに配置された３個の単相インバータユニット１Ａ〜１Ｃのｕ出力端子２１は、同じく幅広の板状導体からなる第２導体３２によって互いに並列に接続されている。下段２Ｌに配置された３個の単相インバータユニット１Ｄ〜１Ｆのｖ出力端子２２は、同じく幅広の板状導体からなる第３導体３３によって互いに並列に接続されている。
【００２９】
なお、理解を容易にするために、図４の回路図の各配線に、対応する導体等の参照符号を付した。また、図４の回路図において仮想線Ｍで囲む範囲が、図１および図２に示したインバータ装置の構成に相当する。
【００３０】
第１導体３１は、１枚の金属板から形成したもので、図３の分解斜視図にも示すように、矩形の板状をなす中央の平面部４１と、この平面部４１の上端から断面Ｌ字状をなすように直角に折れ曲がって上方の単相インバータユニット１Ａ〜１Ｃのｖ出力端子２２に接続される折曲部４２と、平面部４１の下端から断面Ｌ字形をなすように直角に折れ曲がって下方の単相インバータユニット１Ｄ〜１Ｆのｕ出力端子２１に接続される折曲部４３と、を備えている。なお、折曲部４２，４３の先端は、さらに下方および上方へ向けて折れ曲げられており、Ｌ字状をなすｖ出力端子２２およびｕ出力端子２１の先端部にそれぞれ図示せぬボルト，ナットを介して固定・接続されている。この第１導体３１は、３個の単相インバータユニット１Ａ〜１Ｃのｖ出力端子２２および３個の単相インバータユニット１Ｄ〜１Ｆのｕ出力端子２１を包含し得るだけの幅（図１の左右方向の寸法）を有するとともに、上下に離れたｖ出力端子２２とｕ出力端子２１を包含し得るだけの長さ（図１の上下方向の寸法）を有している。
【００３１】
第２導体３２は、やはり１枚の金属板から形成したもので、第１導体３１の平面部４１と同じ幅でかつほぼ半分の長さを有する矩形の板状をなす平面部４４と、この平面部４４の上端から断面Ｌ字状をなすように直角に折れ曲がって３個の単相インバータユニット１Ａ〜１Ｃのｕ出力端子２１に接続される折曲部４５と、平面部４４の下端から断面Ｌ字形をなすように反対側へ向けて直角に折れ曲がった折曲部４６と、を有する。折曲部４５の先端は、さらに上方へ向けて折り曲げられており、Ｌ字状をなすｕ出力端子２１の先端部にそれぞれ図示せぬボルト，ナットを介して固定・接続されている。また、折曲部４６の先端は、さらに上方へ向けて折り曲げられており、ｕ相装置出力端子４６ａを構成している。
【００３２】
第３導体３３は、第２導体３２と実質的に上下対称な構成のものであり、第１導体３１の平面部４１と同じ幅でかつほぼ半分の長さを有する矩形の板状をなす平面部４７と、この平面部４７の下端から断面Ｌ字状をなすように直角に折れ曲がって３個の単相インバータユニット１Ｄ〜１Ｆのｖ出力端子２２に接続される折曲部４８と、平面部４４の上端から断面Ｌ字形をなすように反対側へ向けて直角に折れ曲がった折曲部４９と、を有する。折曲部４８の先端は、さらに下方へ向けて折り曲げられており、Ｌ字状をなすｖ出力端子２２の先端部にそれぞれ図示せぬボルト，ナットを介して固定・接続されている。また、折曲部４９の先端は、さらに下方へ向けて折り曲げられており、ｖ相装置出力端子４９ａを構成している。
【００３３】
図２に示すように、第２導体３２および第３導体３３は、第１導体３１の表面上に絶縁板５０を介して重ねられている。なお、第２導体３２（あるいは第３導体３３）と絶縁板５０と第１導体３１は、隙間なく接していてもよく、あるいは、極僅かな隙間が存在していてもよい。
【００３４】
このような第１実施例のインバータ装置にあっては、６個の単相インバータユニット１Ａ〜１Ｆを「２×３」の形で上下に配列したので、例えば６個の単相インバータユニット１Ａ〜１Ｆを一列に配置する場合に比較して、装置の設置面積が小さくなって全体として省スペースとなり、かつ回路ループが短くなる。回路ループが短くなることで、回路の低インダクタンス化ひいては低インピーダンス化が図れる。
【００３５】
そして、第１導体３１と第２導体３２および第３導体３３とでは、高周波電流が逆方向に流れるので、自己インダクタンスを打ち消しあう作用が得られるとともに、漏れ磁束が低減する。特に、上記構成では、各導体３１〜３３が幅広であるとともに、互いに重なり合う面積（特に逆方向に高周波電流が流れる部分での重なり合う面積）が大きい。従って、各導体間で自己インダクタンスを打ち消しあう効果が大きくなる。また、表皮効果により各導体３１〜３３の表皮近くでより大きな電流が流れるが、広く重なり合った２つの導体で表皮近くを逆方向に高周波電流が流れることから、上記の作用・効果がより大きく得られる。漏れ磁束の低減により、周囲部品への影響が抑制され、例えば遮蔽板が不要となる。
【００３６】
また、幅広な各々の導体３１〜３３は断面積が大きく確保されるため、表皮効果によって実質的な通電断面積の減少があっても、十分な通電断面積を確保でき、導体３１〜３３における発熱が抑制される。従って、例えば上記のインバータ装置では、導体３１〜３３を液冷せずに風冷化することができる。
【００３７】
なお、上記実施例では、上下２段にそれぞれ３個ずつの単相インバータユニット１Ａ〜１Ｃ，１Ｄ〜１Ｆを配置して「２行×３列」のマトリクス状のレイアウトを実現しているが、例えば、図１のレイアウトを９０°回転した形として「２行×３列」のマトリクス状の配置とすることも可能である。つまり、ｎ個の単相インバータユニットを横方向に並べてもよく、縦方向に並べてもよい。
【００３８】
次に、図６〜図１０を参照して、第２の発明の出力側接続構造を備えた第２実施例のインバータ装置を説明する。この第２実施例のインバータ装置は、計４個の単相インバータユニット１０１（１０１Ａ〜１０１Ｄ）を含んでおり、これらのｕ相出力およびｖ相出力がそれぞれ並列接続されている。より詳しくは、２個の単相インバータユニット１０１が１組のものとして並列接続された上で、２組の単相インバータユニット１０１が互いに並列接続された形となっている。
【００３９】
図１０は、インバータ装置の回路構成を示す回路図である。図示するように、１つの組をなす２個の単相インバータユニット１０１Ａ，１０１Ｂのｕ出力端子同士が互いに並列に接続され、かつｖ出力端子同士が互いに並列に接続されている。同様に、もう１つの組をなす２個の単相インバータユニット１０１Ｃ，１０１Ｄのｕ出力端子同士が互いに並列に接続され、かつｖ出力端子同士が互いに並列に接続されている。そして、第１の組のｕ相出力と第２の組のｕ相出力とが並列接続された上で、最終的な装置のｕ相出力が引き出されている。同様に、第１の組のｖ相出力と第２の組のｖ相出力とが並列接続された上で、最終的な装置のｖ相出力が引き出されている。４個の単相インバータユニット１０１Ａ〜１０１Ｄの各々の入力側は、直流電源Ｐ，Ｎに並列に接続されている。
【００４０】
個々の単相インバータユニット１０１（１０１Ａ〜１０１Ｄ）は、図１０に示すように、スイッチング素子モジュールとして２つのＩＧＢＴモジュール１１１，１１２と、平滑コンデンサ１１３と、を備えて構成されている。ＩＧＢＴモジュール１１１は、上アームおよび下アームとなる２つのスイッチング回路Ｓ１，Ｓ２を含み、その中間接続点からｕ出力端子が引き出されている。同様に、ＩＧＢＴモジュール１１２は、２つのスイッチング回路Ｓ３，Ｓ４を含み、その中間接続点からｖ出力端子が引き出されている。
【００４１】
なお、理解を容易にするために、図１０の回路図の配線等には、対応する後述の導体等の参照符号を付してある。
【００４２】
単相インバータユニット１０１の具体的な構成としては、図９等に示すように、矩形の金属製ブロックからなる中央のヒートシンク１０３を挟んで該ヒートシンク１０３の両面にそれぞれＩＧＢＴモジュール１１１，１１２が配置されており、各ＩＧＢＴモジュール１１１，１１２の頂面にそれぞれ３個の端子が設けられている。具体的には、ＩＧＢＴモジュール１１１は、Ｐ入力端子１１５、Ｎ入力端子１１６およびｕ出力端子１１７（図７参照）を備えており、ＩＧＢＴモジュール１１２は、Ｐ入力端子１１５、Ｎ入力端子１１６およびｖ出力端子１１８を備えている。従って、単相インバータユニット１０１としては、ｕ出力端子１１７とｖ出力端子１１８とがそれぞれ反対側の面に配置されている。なお、各ＩＧＢＴモジュール１１１，１１２の３個の端子は、Ｎ入力端子１１６が中央に位置し、その両側にＰ入力端子１１５およびｕ出力端子１１７もしくはｖ出力端子１１８が位置している。
【００４３】
２個の単相インバータユニット１０１Ａ，１０１Ｂの組と、２個の単相インバータユニット１０１Ｃ，１０１Ｄの組と、は基本的に同一の構成であるので、以下では、単相インバータユニット１０１Ａ，１０１Ｂの組を例にその構成を説明する。
【００４４】
２個の単相インバータユニット１０１Ａ，１０１Ｂは、各々のｕ出力端子１１７同士およびｖ出力端子１１８同士が同一平面状に並ぶようにして、上下に並んで配置されている。詳しくは、１８０°回転させた姿勢で配置されている。これらの２個の単相インバータユニット１０１Ａ，１０１Ｂは、ｕ出力端子１１７に対し設けられる３個の金属板からなる導体（ｕ相第１導体１２１、ｕ相第２導体１２２、ｕ相第３導体１２３）およびｖ出力端子１１８に対し設けられる３個の導体（ｖ相第１導体１３１、ｖ相第２導体１３２、ｖ相第３導体１３３）によって、出力端子同士が並列接続されると同時に物理的に一体に組み立てられている。
【００４５】
図９は、上記の計６個の導体の分解斜視図であり、図示するように、ｕ相第１導体１２１とｖ相第１導体１３１、ｕ相第２導体１２２とｖ相第２導体１３２、ｕ相第３導体１２３とｖ相第３導体１３３、は、互いに同一ないし類似した形状をなしている。図９で手前側に示されているｖ相側の導体について先に説明すると、ｖ相第１導体１３１は、上下両端に端子タブ１３１ａ，１３１ｂが切欠形成された平坦な矩形の板状をなしており、端子タブ１３１ａ，１３１ｂが２個の単相インバータユニット１０１Ａ，１０１Ｂのｖ出力端子１１８にそれぞれネジ１２５によって固定されている。従って、２個の単相インバータユニット１０１Ａ，１０１Ｂのｖ出力端子１１８がこのｖ相第１導体１３１を介して互いに並列に接続されている。
【００４６】
ｖ相第２導体１３２は、上下に配置された２個の単相インバータユニット１０１Ａ，１０１Ｂの間の間隙を通る矩形の平面部１３２ａと、この平面部１３２ａの一端部の側縁から単相インバータユニット１０１Ａ側へつまり上方へ折れ曲がった折曲部１３２ｂと、平面部１３２ａの他端から逆に下方へ折れ曲がった折曲部１３２ｃと、を有している。折曲部１３２ｂには、ｖ相第１導体１３１の端子タブ１３１ａに合致する端子タブ１３２ｄが切欠形成されている。この折曲部１３２ｂは、ｖ相第１導体１３１の下（ｖ相第１導体１３１と単相インバータユニット１０１ＡのＩＧＢＴモジュール１１２との間）に重ねられ、端子タブ１３２ｄがｖ相第１導体１３１の端子タブ１３１ａとともに単相インバータユニット１０１Ａのｖ出力端子１１８にネジ１２５によって共締めされている。折曲部１３２ｃは、請求項における「ｖ相第２出力端子」となる部位であり、円形の孔１３２ｅを備えている。
【００４７】
ｖ相第３導体１３３は、ｖ相第２導体１３２の平面部１３２ａに重なって２個の単相インバータユニット１０１Ａ，１０１Ｂの間の間隙を通る矩形の平面部１３３ａと、この平面部１３３ａの一端部の側縁から単相インバータユニット１０１Ｂ側へつまり下方へ折れ曲がった折曲部１３３ｂと、平面部１３３ａの他端から同じく下方へ折れ曲がった折曲部１３３ｃと、を有している。折曲部１３３ｂには、ｖ相第１導体１３１の端子タブ１３１ｂに合致する端子タブ１３３ｄが切欠形成されている。この折曲部１３３ｂは、ｖ相第１導体１３１の下（ｖ相第１導体１３１と単相インバータユニット１０１ＢのＩＧＢＴモジュール１１２との間）に重ねられ、端子タブ１３３ｄがｖ相第１導体１３１の端子タブ１３１ｂとともに単相インバータユニット１０１Ｂのｖ出力端子１１８にネジ１２５によって共締めされている。折曲部１３３ｃは、ｖ相第２導体１３２の折曲部１３２ｃに重ね合わされて請求項における「ｖ相第２出力端子」となる部位であり、やはり対応する円形の孔１３３ｅを備えている。
【００４８】
このように、３個の導体１３１，１３２，１３３を組み合わせた状態では、２つのｖ出力端子１１８の間、ならびに、各ｖ出力端子１１８と「ｖ相第２出力端子」となる折曲部１３２ｃ，１３３ｃとの間、において、それぞれ２枚の導体が重なった形で回路配線が構成される。これにより、２つのｖ出力端子１１８に対する配線インダクタンスが等価になるとともに、通電断面積が大きくかつ同等に確保される。
【００４９】
ｕ相第１導体１２１は、ｖ相第１導体１３１と同じく、上下両端に端子タブ１２１ａ，１２１ｂが切欠形成された平坦な矩形の板状をなしており、端子タブ１２１ａ，１２１ｂが２個の単相インバータユニット１０１Ａ，１０１Ｂのｕ出力端子１１７にそれぞれネジ１２５によって固定されている。従って、２個の単相インバータユニット１０１Ａ，１０１Ｂのｕ出力端子１１７がこのｕ相第１導体１２１を介して互いに並列に接続されている。
【００５０】
ｕ相第２導体１２２は、ｖ相第２導体１３２と同様に、２個の単相インバータユニット１０１Ａ，１０１Ｂの間の間隙を通る矩形の平面部１２２ａと、この平面部１２２ａの一端部の側縁から単相インバータユニット１０１Ａ側へつまり上方へ折れ曲がった折曲部１２２ｂと、平面部１２２ａの他端から同じく上方へ折れ曲がった折曲部１２２ｃと、を有している。折曲部１２２ｂは、ｕ相第１導体１２１の端子タブ１２１ａに合致する端子タブ１２２ｄを有し、ｕ相第１導体１２１の下に重なった状態でｕ出力端子１１７に共締めされている。折曲部１２２ｃは、請求項における「ｕ相第２出力端子」となる部位であり、円形の孔１２２ｅを備えている。
【００５１】
ｕ相第３導体１２３は、ｖ相第３導体１３３と同様に、ｕ相第２導体１２２の平面部１２２ａに重なって２個の単相インバータユニット１０１Ａ，１０１Ｂの間の間隙を通る矩形の平面部１２３ａと、この平面部１２３ａの一端部の側縁から単相インバータユニット１０１Ｂ側へつまり下方へ折れ曲がった折曲部１２３ｂと、平面部１２３ａの他端から逆に上方へ折れ曲がった折曲部１２３ｃと、を有している。折曲部１２３ｂは、ｕ相第１導体１２１の端子タブ１２１ｂに合致する端子タブ（図示せず）を有し、ｕ相第１導体１２１の下に重なった状態でｕ出力端子１１７に共締めされている。折曲部１２３ｃは、ｕ相第２導体１２２の折曲部１２２ｃに重ね合わされて請求項における「ｕ相第２出力端子」となる部位であり、円形の孔１２３ｅを備えている。
【００５２】
このように、３個の導体１２１，１２２，１２３を組み合わせた状態では、２つのｕ出力端子１１７の間、ならびに、各ｕ出力端子１１７と「ｕ相第２出力端子」となる折曲部１２２ｃ，１２３ｃとの間、において、それぞれ２枚の導体が重なった形で回路配線が構成される。これにより、２つのｕ出力端子１１７に対する配線インダクタンスが等価になるとともに、通電断面積が大きくかつ同等に確保される。
【００５３】
そして、ｕ相の３個の導体１２１〜１２３とｖ相の３個の導体１３１〜１３３はほぼ対称に構成されているので、ｕ相とｖ相との間でも配線インダクタンスが等価となる。
【００５４】
ここで、ｕ相の第２導体１２２、第３導体１２３の平面部１２２ａ，１２３ａおよびｖ相の第２導体１３２、第３導体１３３の平面部１３２ａ，１３３ａは、いずれも２個の単相インバータユニット１０１Ａ，１０１Ｂの間の間隙を通ってインバータ装置の前面側へと延びているが、これら４つの平面部は、ｕ相とｖ相との間を絶縁する絶縁板１２６を介して互いに重ね合わされている。具体的には、下から順に、ｖ相の第３導体１３３、第２導体１３２、絶縁板１２６、ｕ相の第３導体１２３、第２導体１２２、が順次重なっている。なお、これら導体１３３等や絶縁板１２６は、隙間なく接していてもよく、あるいは、極僅かな隙間が存在していてもよい。重なり合った４つの平面部１２２ａ，１２３ａ，１３２ａ，１３３ａは、２つの単相インバータユニット１０１Ａ，１０１Ｂが並ぶ方向に対し直交する平面に沿っている。
【００５５】
このようにｕ相の第２導体１２２、第３導体１２３の平面部１２２ａ，１２３ａとｖ相の第２導体１３２、第３導体１３３の平面部１３２ａ，１３３ａとが広い面積で重なり合っており、両者には逆方向に高周波電流が流れるので、前述した第１実施例と同様の作用効果が得られる。
【００５６】
もう一方の組となる２個の単相インバータユニット１０１Ｃ，１０１Ｄの出力側の構成も上記と全く同様であり、ｕ相第１導体１２１、ｕ相第２導体１２２、ｕ相第３導体１２３およびｖ相第１導体１３１、ｖ相第２導体１３２、ｖ相第３導体１３３によって、出力端子同士が並列接続されると同時に物理的に一体に組み立てられている。
【００５７】
そして、これら２つの組の単相インバータユニット（１０１Ａ，１０１Ｂ）（１０１Ｃ，１０１Ｄ）の各々の「ｕ相第２出力端子」（つまりｕ相第２導体１２２の折曲部１２２ｃとｕ相第３導体１２３の折曲部１２３ｃ）は、２つの組に跨って延びるｕ相第４導体１２４によって互いに接続されている。ｕ相第４導体１２４は、ｕ相第３導体１２３の平面部１２３ａ等と同一の平面に沿って延びた平面部１２４ａを有するとともに、この平面部１２４ａの長手方向両端の一方の側縁に、ｕ相第２導体１２２の折曲部１２２ｃならびにｕ相第３導体１２３の折曲部１２３ｃとボルト・ナット１３５を介して固定・接続される一対の折曲部１２４ｂを有し、さらに、平面部１２４ａの他方の側縁の長手方向中央に、最終的な装置のｕ相出力端子（請求項における「ｕ相第３出力端子」）となる折曲部１２４ｃを有している。
【００５８】
同様に、２つの組の単相インバータユニット（１０１Ａ，１０１Ｂ）（１０１Ｃ，１０１Ｄ）の各々の「ｖ相第２出力端子」（つまりｖ相第２導体１３２の折曲部１３２ｃとｖ相第３導体１３３の折曲部１３３ｃ）は、２つの組に跨って延びるｖ相第４導体１３４によって互いに接続されている。ｖ相第４導体１３４は、上述したｕ相第４導体１２４と実質的に同一の形状を有し、上下反転した形でｕ相第４導体１２４と組み合わされている。つまり、ｖ相第４導体１３４は、平面部１３４ａと、一対の折曲部１３４ｂと、最終的な装置のｖ相出力端子（請求項における「ｖ相第３出力端子」）となる折曲部１３４ｃと、を有している。
【００５９】
ｕ相第４導体１２４とｖ相第４導体１３４は、詳しくは、両者の平面部１２４ａ，１３４ａが、絶縁板（図示せず）を介して重ね合わされている。従って、このｕ相第４導体１２４とｖ相第４導体１３４とについても、逆方向に高周波電流が流れる２つの幅広な導体が重ね合わされた構成となり、自己インダクタンスの低減ならびに漏れ磁束の低減が図れる。
【００６０】
また、図６から明らかなように、４個の単相インバータユニット１０１のｕ出力端子１１７およびｖ出力端子１１８から最終的な装置のｕ相出力端子（折曲部１２４ｃ）およびｖ相出力端子（折曲部１３４ｃ）に至るまでの各々の導通経路がいずれも等しい長さとなり、かつ通電断面積なども含め各導通経路が実質的に等しい構成となる。従って、配線インダクタンスが等価となる。また、各々の導通経路を等しくするための不必要な迂回がなく、従って、インピーダンスが小さくなる。
【００６１】
単相インバータユニット１０１（１０１Ａ〜１０１Ｄ）の入力側の構成について説明すると、単相インバータユニット１０１の各々が、当該単相インバータユニット１０１の外側を囲むように略Ｕ字形に折り曲げ形成されたＰ側導体１４１およびＮ側導体１４２を備えている。Ｐ側導体１４１およびＮ側導体１４２は、図示せぬ絶縁板を介してＰ側導体１４１が内側となるように重ね合わされており、それぞれの両端部が、単相インバータユニット１０１を構成する一対のＩＧＢＴモジュール１１１，１１２のＰ入力端子１１５、Ｎ入力端子１１６にそれぞれ固定・接続されている。そして、略Ｕ字形をなすように折り曲げられた３辺の中の中央の辺の外側面には、一対の平滑コンデンサ１１３が取り付けられている。この平滑コンデンサ１１３は、図１０に明らかなように、回路構成としては各単相インバータユニット１０１の一部を構成するものであり、Ｐ側導体１４１とＮ側導体１４２との間に電気的に接続されている。
【００６２】
４個の単相インバータユニット１０１（１０１Ａ〜１０１Ｄ）を含むインバータ装置全体の背面には、四角い枠状にＰ側主入力導体１４３とＮ側主入力導体１４４とが構成されており、各単相インバータユニット１０１のＰ側導体１４１およびＮ側導体１４２がそれぞれＰ側主入力導体１４３およびＮ側主入力導体１４４に接続されている。Ｐ側主入力導体１４３およびＮ側主入力導体１４４は、図示せぬ絶縁板を介して部分的に重なり合っており、端部に、Ｐ側主入力端子部１４３ａおよびＮ側主入力端子部１４４ａをそれぞれ備えている。
【００６３】
従って、この第２実施例では、入力側についても４個の単相インバータユニット１０１の各々について配線経路が実質的に等価な構成となる。
【符号の説明】
【００６４】
１（１Ａ〜１Ｆ）…単相インバータユニット
２…架台
３…整合トランス
１１，１２…ＩＧＢＴモジュール
１３…平滑コンデンサ
２１…ｕ出力端子
２２…ｖ出力端子
２３…Ｐ入力端子
２４…Ｎ入力端子
３１…第１導体
３２…第２導体
３３…第３導体
４１…平面部
４２，４３…折曲部
４４…平面部
４５，４６…折曲部
４６ａ…ｕ相装置出力端子
４７…平面部
４８，４９…折曲部
４９ａ…ｖ相装置出力端子
５０…絶縁板
１０１（１０１Ａ〜１０１Ｄ）…単相インバータユニット
１０３…ヒートシンク
１１１，１１２…ＩＧＢＴモジュール
１１３…平滑コンデンサ
１１７…ｕ出力端子
１１８…ｖ出力端子
１２１…ｕ相第１導体
１２２…ｕ相第２導体
１２２ａ…平面部
１２３…ｕ相第３導体
１２３ａ…平面部
１２４…ｕ相第４導体
１２４ａ…平面部
１２６…絶縁板
１３１…ｖ相第１導体
１３２…ｖ相第２導体
１３２ａ…平面部
１３３…ｖ相第３導体
１３３ａ…平面部
１３４…ｖ相第４導体
１３４ａ…平面部  
【図１】
2018133864.tif 000003
【図２】
2018133864.tif 000004
【図３】
2018133864.tif 000005
【図４】
2018133864.tif 000006
【図５】
2018133864.tif 000007
【図６】
2018133864.tif 000008
【図７】
2018133864.tif 000009
【図８】
2018133864.tif 000010
【図９】
2018133864.tif 000011
【図１０】
2018133864.tif 000012